【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
複数の映像フレームを入力する入力手段と、
前記入力手段により入力された映像フレームを圧縮パラメータに基づいて圧縮する圧縮手段と、
前記圧縮手段により圧縮がなされた映像フレームをメモリへ記憶させる記憶制御手段と、
前記メモリに記憶された前記圧縮がなされた映像フレームに基づく映像を表示させる表示制御手段と、
前記表示制御手段による表示映像に関する所定指示の入力に応じて他の映像よりも長い時間表示させる映像に対応する映像フレームを、前記メモリに記憶された複数の映像フレームの圧縮パラメータに基づいて前記複数の映像フレームから決定する決定手段とを有することを特徴とする映像処理装置。
【請求項２】
前記所定指示は、映像表示を一時停止するための一時停止指示であり、前記長い時間表示させる映像は、前記一時停止中に表示させる映像であることを特徴とする請求項１に記載の映像処理装置。
【請求項３】
前記所定指示は、表示映像をキャプチャするためのキャプチャ指示であり、前記長い時間表示させる映像は、前記キャプチャ中に表示されるキャプチャ対象映像であることを特徴とする請求項１に記載の映像処理装置。
【請求項４】
前記決定手段は、前記メモリに記憶されている第１の映像フレームと第２の映像フレームとのうち、より圧縮率が低い圧縮パラメータに対応する前記第１の映像フレームを前記長い時間表示させる映像に対応する映像フレームとして決定することを特徴とする請求項１乃至３のうち、何れか１項に記載の映像処理装置。
【請求項５】
前記決定手段は、前記圧縮パラメータが所定の基準を満たす第１の映像フレームと第２の映像フレームが前記メモリに記憶されている場合、表示順序が先の前記第１の映像フレームを前記長い時間表示させる映像に対応する映像フレームとして決定することを特徴とする請求項１乃至３のうち、何れか１項に記載の映像処理装置。
【請求項６】
前記決定手段は、前記圧縮パラメータが所定の基準を満たす第１の映像フレームと第２の映像フレームとが前記メモリに記憶されている場合、前記圧縮後のデータサイズがより大きい前記第１の映像フレームを前記長い時間表示させる映像に対応する映像フレームとして決定することを特徴とする請求項１乃至３のうち、何れか１項に記載の映像処理装置。
【請求項７】
前記決定手段は、前記圧縮パラメータが所定の基準を満たす映像フレームが前記所定指示の入力タイミングに応じたタイミングにおいて前記メモリに記憶されていない場合、前記所定指示の入力後に前記メモリに記憶された映像フレームであって、前記圧縮パラメータが前記所定の基準を満たす映像フレームを前記長い時間表示させる映像に対応する映像フレームとして決定することを特徴とする請求項１乃至３のうち、何れか１項に記載の映像処理装置。
【請求項８】
前記決定手段は、
前記所定指示の入力に応じたタイミングにおいて、前記圧縮パラメータが所定の基準を満たす映像フレームが前記メモリに記憶されておらず、且つ、前記メモリに記憶されている第１の映像フレームと第２の映像フレームとのうち、表示順序が先の前記第１の映像フレームが、表示順序が後の前記第２の映像フレームよりも圧縮率が高い圧縮パラメータに対応する場合、前記所定指示の入力後に前記メモリに記憶された第３の映像フレームを前記長い時間表示させる映像に対応する映像フレームとして決定し、
前記所定指示の入力に応じたタイミングにおいて、前記圧縮パラメータが前記所定の基準を満たす映像フレームが前記メモリに記憶されておらず、且つ、前記メモリに記憶されている前記第１の映像フレームと前記第２の映像フレームとのうち、表示順序が先の前記第１の映像フレームが、表示順序が後の前記第２の映像フレームよりも圧縮率が低い圧縮パラメータに対応する場合、前記第１の映像フレームを前記長い時間表示させる映像に対応する映像フレームとして決定することを特徴とする請求項１乃至３のうち、何れか１項に記載の映像処理装置。
【請求項９】
前記所定指示の入力に応じたタイミングにおいて前記メモリに記憶されている表示順序が連続する第１の映像フレームと第２の映像フレームのうち、表示順序が先の前記第１の映像フレームと表示順序が後の前記第２の映像フレームとの差分が第１の差分の場合、前記第１の差分よりも小さい第２の差分の場合よりも、前記第２の映像フレームの圧縮率が高くなるように、前記映像フレームの圧縮パラメータを制御する圧縮制御手段を有することを特徴とする請求項１乃至８のうち、何れか１項に記載の映像処理装置。
【請求項１０】
映像フレームを入力する入力手段と、
前記入力手段により入力された映像フレームを圧縮パラメータに基づいて圧縮する圧縮手段と、
前記圧縮手段により圧縮がなされた映像フレームをメモリへ記憶させる記憶制御手段と、
前記メモリに記憶された前記圧縮がなされた映像フレームに基づく映像を表示させる表示制御手段と、
前記表示制御手段による表示映像に関する所定指示の入力よりも後に前記入力手段により入力された映像フレームを前記所定指示の入力に応じて他の映像よりも長い時間表示させる映像に対応する映像フレームとして決定する決定手段とを有することを特徴とする映像処理装置。
【請求項１１】
前記所定指示は、映像表示を一時停止するための一時停止指示、及び、表示映像をキャプチャするためのキャプチャ指示のうち少なくとも何れか一方であることを特徴とする請求項１０に記載の映像処理装置。
【請求項１２】
映像処理装置が行う制御方法であって、
入力された映像フレームを圧縮パラメータに基づいて圧縮する圧縮工程と、
前記圧縮工程において圧縮がなされた映像フレームをメモリへ記憶させる記憶制御工程と、
表示映像に関する所定指示の入力に応じて他の映像よりも長い時間表示させる映像に対応する映像フレームを、前記メモリに記憶された複数の映像フレームの圧縮パラメータに基づいて前記複数の映像フレームから決定する決定工程と、
前記決定工程にて決定された映像フレームに基づく映像を、前記所定指示の入力に応じて表示させる表示制御工程とを有することを特徴とする制御方法。
【請求項１３】
前記決定工程は、前記所定指示の入力に応じたタイミングにおいて前記メモリに記憶されている第１の映像フレームと第２の映像フレームとのうち、より圧縮率が低い圧縮パラメータに対応する前記第１の映像フレームを前記長い時間表示させる映像に対応する映像フレームとして決定することを特徴とする請求項１２に記載の制御方法。
【請求項１４】
前記決定工程は、前記圧縮パラメータが所定の基準を満たす第１の映像フレームと第２の映像フレームが前記所定指示の入力に応じたタイミングにおいて前記メモリに記憶されている場合、表示順序が先の前記第１の映像フレームを前記長い時間表示させる映像に対応する映像フレームとして決定することを特徴とする請求項１２に記載の制御方法。
【請求項１５】
前記決定工程は、前記圧縮パラメータが所定の基準を満たす第１の映像フレームと第２の映像フレームとが前記所定指示の入力に応じたタイミングにおいて前記メモリに記憶されている場合、前記圧縮後のデータサイズがより大きい前記第１の映像フレームを前記長い時間表示させる映像に対応する映像フレームとして決定することを特徴とする請求項１２に記載の制御方法。
【請求項１６】
前記決定工程は、前記圧縮パラメータが所定の基準を満たす映像フレームが前記所定指示の入力に応じたタイミングにおいて前記メモリに記憶されていない場合、前記所定指示の入力後に前記メモリに記憶された映像フレームであって、前記圧縮パラメータが前記所定の基準を満たす映像フレームを前記長い時間表示させる映像に対応する映像フレームとして決定することを特徴とする請求項１２に記載の制御方法。
【請求項１７】
映像処理装置が行う制御方法であって、
入力された映像フレームを圧縮パラメータに基づいて圧縮する圧縮工程と、
前記圧縮工程にて圧縮がなされた映像フレームをメモリへ記憶させる記憶制御工程と、
表示映像に関する所定指示の入力よりも後に入力された映像フレームを前記所定指示の入力に応じて他の映像よりも長い時間表示させる映像に対応する映像フレームとして決定する決定工程と、
前記決定工程にて決定された映像フレームに基づく映像を表示させる表示制御工程とを有することを特徴とする制御方法。
【請求項１８】
コンピュータを請求項１乃至１１のうちいずれか１項に記載の映像処理装置の各手段として動作させるためのプログラム。
【手続補正２】
【補正対象書類名】明細書
【補正対象項目名】００１３
【補正方法】変更
【補正の内容】
【００１３】
上記課題を解決するために、本発明の映像処理装置は、例えば以下の構成を有する。すなわち、複数の映像フレームを入力する入力手段と、前記入力手段により入力された映像フレームを圧縮パラメータに基づいて圧縮する圧縮手段と、前記圧縮手段により圧縮がなされた映像フレームをメモリへ記憶させる記憶制御手段と、前記メモリに記憶された前記圧縮がなされた映像フレームに基づく映像を表示させる表示制御手段と、前記表示制御手段による表示映像に関する所定指示の入力に応じて他の映像よりも長い時間表示させる映像に対応する映像フレームを、前記メモリに記憶された複数の映像フレームの圧縮パラメータに基づいて前記複数の映像フレームから決定する決定手段とを有する。
【手続補正３】
【補正対象書類名】明細書
【補正対象項目名】００３１
【補正方法】変更
【補正の内容】
【００３１】
一方、映像フレーム１１９がフリーズ表示する映像フレームとして決定された場合、映像フレーム１１９の映像データが伸長部Ｂにより伸長され、映像処理部Ｂ１０６で映像処理された後、映像処理部１０７で出力される。圧縮部Ｃによる圧縮済みの映像フレーム１１８がフリーズ表示する映像フレームとして決定された場合は、映像フレーム１１８の映像データが伸長部Ｃ１１３により伸長されて映像出力部１０７で出力される。このように、フレームメモリ１０２内に記憶されている映像フレームのうち、どの映像フレームをフリーズ表示させるかによって、フリーズ表示の開始までにかかる処理や処理時間が異なる。ただし、圧縮部Ｃ１１２による圧縮済みの３つの映像フレームをフレームメモリ１０２に記憶させるようにしてもよい。この場合、フレームメモリ１０２は、少なくとも５つの映像フレームを記憶するだけのメモリ領域を備えることが必要となる。